(57)【要約】      （修正有）【課題】より力を加え易くマッサージを行い易いマッサージ具を提供する。【解決手段】手に持って使用される棒状のマッサージ具１００であって、使用者の皮膚に押圧される球体１０と、球体１０をその一部が露出した状態で回転自在に収容する凹部４１が一端４０ａ側に形成された収容部４０と、全周にわたって形成されたくびれ部５１を複数有し一端５０ａ側に収容部の他端４０ｂ側が取付けられる本体部５０を備え、複数のくびれ部の直径は、本体部の一端５０ａ側から他端５０ｂ側になるにつれ徐々に小さく形成されてなる。【選択図】図２
0003185377.tif 000002
【実用新案登録請求の範囲】
【請求項１】
手に持って使用される棒状のマッサージ具であって、
使用者の皮膚に押圧される球体と、
前記球体をその一部が露出した状態で回転自在に収容する凹部が一端側に形成された収容部と、
全周にわたって形成されたくびれ部を複数有し一端側に前記収容部の他端側が取付けられる本体部を備え、
前記複数のくびれ部の直径は、前記本体部の一端側から他端側になるにつれ徐々に小さく形成されてなることを特徴とするマッサージ具。
【請求項２】
前記凹部の深さは前記球体の半径よりも深く、かつ前記凹部の一端側内径は前記球体の直径よりも小さく形成されてなるとともに、
前記球体の曲率と略等しい曲率の窪みが前記凹部の奥壁の中央に形成されたことを特徴とする請求項１に記載のマッサージ具。
【請求項３】
前記本体部の一端側近傍に前記くびれ部の少なくとも一つが形成されたことを特徴とする請求項１又は２に記載のマッサージ具。
【請求項４】
前記本体部の他端側近傍に前記くびれ部の少なくとも一つが形成されたことを特徴とする請求項１乃至３のうちいずれか一つに記載のマッサージ具。
【請求項５】
前記本体部の一端側から順に第一くびれ部、第二くびれ部、及び第三くびれ部の三つが形成され、
前記第一くびれ部と前記第二くびれ部の間の本体部の部位の直径は、前記第一くびれ部よりも一端側の本体部の部位の直径と等しく、
前記第二くびれ部と前記第三くびれ部の間の本体部の部位の直径は、前記第一くびれ部と前記第二くびれ部の間の本体部の部位の直径よりも小さいことを特徴とする請求項１乃至４のうちいずれか一つに記載のマッサージ具。
【請求項６】
前記本体部は内部を肉抜きした中空体であることを特徴とする請求項１又は２に記載のマッサージ具。
【考案の詳細な説明】
【技術分野】
【０００１】
本考案は、手に持って使用される棒状のマッサージ具に関するものである。
【背景技術】
【０００２】
従来、肩や腰、又は足の裏を刺激して血流を改善し、凝りを解消するためにマッサージ具が広く使用されている。
このようなマッサージ具には、据え置きタイプのように大型のものの他に、手に持って使用可能な小型の棒状のものがある。
【０００３】
小型のマッサージ具は手軽に購入及び使用できるので、各社から様々なものが開発・販売されており、図７に示すようなものが知られている（例えば、特許文献１参照）。
【先行技術文献】
【特許文献】
【０００４】
【特許文献１】実用新案登録第３０７２９５０号公報
【０００５】
特許文献１に記載のマッサージ具２００は、球体１０と、球体１０を回転自在に収容する収容部２０と、収容部２０が取付けられる本体部３０を備える。
球体１０は収容部２０内でバネを介して支持されており、球体１０が皮膚に押圧されると球体１０は収容部２０の内部に押し込まれるようになっている。
そして、球体１０が押し込まれたとき、照明部２１が発光する。
【０００６】
この考案によると、球体１０に所定の圧力が加わったとき照明部２１が発光するので、そのマッサージ具２００を用いて他人にマッサージを行った場合であっても、マッサージの圧力が強くなり過ぎることがなく、適切な圧力でマッサージを行うことができる。
【考案の概要】
【考案が解決しようとする課題】
【０００７】
しかしながら、このマッサージ具２００ではマッサージ圧力が強くなり過ぎることは防止できるが、マッサージの行い易さ、すなわち、ユーザが本体部３０を握ったときの力の加え易さに関しては改善の余地がある。
【０００８】
そこで、本考案の目的とするところは、より力を加え易くマッサージを行い易いマッサージ具を提供することにある。
【課題を解決するための手段】
【０００９】
上記の目的を達成するために、本考案の請求項１に記載のマッサージ具（１００）は、手に持って使用される棒状のマッサージ具（１００）であって、使用者の皮膚に押圧される球体（１０）と、前記球体（１０）をその一部が露出した状態で回転自在に収容する凹部（４１）が一端（４０ａ）側に形成された収容部（４０）と、全周にわたって形成されたくびれ部（５１，５１Ａ，５１Ｂ，５１Ｃ）を複数有し一端（５０ａ）側に前記収容部（４０）の他端（４０ｂ）側が取付けられる本体部（５０）を備え、前記複数のくびれ部（５１，５１Ａ，５１Ｂ，５１Ｃ）の直径は、前記本体部（５０）の一端（５０ａ）側から他端（５０ｂ）側になるにつれ徐々に小さく形成されてなることを特徴とする。
【００１０】
また、請求項２に記載のマッサージ具（１００）は、前記凹部（４１）の深さは前記球体（１０）の半径よりも深く、かつ前記凹部（４１）の一端（４０ａ）側内径は前記球体（１０）の直径よりも小さく形成されてなるとともに、前記球体（１０）の曲率と略等しい曲率の窪み（４２ａ）が前記凹部（４１）の奥壁（４２）の中央に形成されたことを特徴とする。
【００１１】
また、請求項３に記載のマッサージ具（１００）は、前記本体部（５０）の一端（５０ａ）側近傍に前記くびれ部（５１，５１Ａ，５１Ｂ，５１Ｃ）の少なくとも一つが形成されたことを特徴とする。
【００１２】
また、請求項４に記載のマッサージ具（１００）は、前記本体部（５０）の他端（５０ｂ）側近傍に前記くびれ部（５１，５１Ａ，５１Ｂ，５１Ｃ）の少なくとも一つが形成されたことを特徴とする。
【００１３】
また、請求項５に記載のマッサージ具（１００）は、前記本体部（５０）の一端（５０ａ）側から順に第一くびれ部（５１Ａ）、第二くびれ部（５１Ｂ）、及び第三くびれ部（５１Ｃ）の三つが形成され、前記第一くびれ部（５１Ａ）と前記第二くびれ部（５１Ｂ）の間の本体部（５０）の部位の直径は、前記第一くびれ部（５１Ａ）よりも一端（５０ａ）側の本体部（５０）の部位の直径と等しく、前記第二くびれ部（５１Ｂ）と前記第三くびれ部（５１Ｃ）の間の本体部（５０）の部位の直径は、前記第一くびれ部（５１Ａ）と前記第二くびれ部（５１Ｂ）の間の本体部（５０）の部位の直径よりも小さいことを特徴とする。
【００１４】
また、請求項６に記載のマッサージ具（１００）は、前記本体部（５０）は内部を肉抜きした中空体であることを特徴とする。
【００１５】
ここで、上記括弧内の記号は、図面および後述する考案を実施するための形態に掲載された対応要素または対応事項を示す。
【考案の効果】
【００１６】
本考案の請求項１に記載のマッサージ具によれば、本体部は、全周にわたって形成されたくびれ部を複数有し、複数のくびれ部の直径は、本体部の一端側から他端側になるにつれ徐々に小さく形成されてなるので、使用者が本体部を握ったときに手によく馴染み、力を加え易い。よって、効率よくマッサージを行うことができる。
【００１７】
また、請求項２に記載のマッサージ具によれば、請求項１に記載の考案の作用効果に加え、凹部の深さは球体の半径よりも深く、かつ凹部の一端側内径は球体の直径よりも小さく形成されてなるので、球体が凹部内を奥側に移動可能である。そして、球体の曲率と略等しい曲率の窪みが凹部の奥壁の中央に形成されたので、奥側に移動した球体がその窪みに収まる。よって、球体の回転が安定するとともに、使用時に球体と収容部は周方向には点接触となり接する面積が小さいので、球体が回転し易い。
【００１８】
また、請求項３に記載のマッサージ具によれば、請求項１又は２に記載の考案の作用効果に加え、本体部の一端側近傍にくびれ部の少なくとも一つが形成されたので、球体を使用者の皮膚に押圧する際に、より力を加え易い。すなわち、球体の近傍にくびれ部を有するので、そのくびれ部が滑り止めとなり、加えた力が逃げることなく球体を介して使用者の皮膚に伝わる。
【００１９】
また、請求項４に記載のマッサージ具によれば、請求項１乃至３に記載の考案の作用効果に加え、本体部の他端側近傍にくびれ部の少なくとも一つが形成されたので、本体部の他端側で使用者の皮膚を押圧する際にも力を加え易い。
【００２０】
また、請求項５に記載のマッサージ具によれば、請求項１乃至４に記載の考案の作用効果に加え、本体部の一端側から順に第一くびれ部、第二くびれ部、及び第三くびれ部の三つが形成され、第一くびれ部と第二くびれ部の間の本体部の部位の直径は、第一くびれ部よりも一端側の本体部の部位の直径と等しく、第二くびれ部と第三くびれ部の間の本体部の部位の直径は、第一くびれ部と第二くびれ部の間の本体部の部位の直径よりも小さいので、使用者が小指を本体部の一端側、人差し指を本体部の他端側に向けて本体部を握ったときに、さらに手によく馴染み、力を加え易い。つまり、第一くびれ部に使用者の小指、第二くびれ部には薬指、そして第三くびれ部には人差し指がフィットするので、加えた力が逃げず、効率よくマッサージ可能である。
【００２１】
また、請求項６に記載のマッサージ具によれば、請求項１乃至５に記載の考案の作用効果に加え、本体部は内部を肉抜きした中空体であるので、本体部が軽量であり、長時間マッサージ具を使用しても手が疲れ難い。
【００２２】
なお、本考案のマッサージ具のように、複数のくびれ部の直径は、本体部の一端側から他端側になるにつれ徐々に小さく形成されてなる点は、上述した特許文献１には全く記載されていない。
【図面の簡単な説明】
【００２３】
【図１】本考案の実施形態に係るマッサージ具を示す平面図である。
【図２】本考案の実施形態に係るマッサージ具を示す、図１のＡ−Ａ線断面図である。
【図３】本考案の実施形態に係るマッサージ具を示す、図１のＢ−Ｂ線断面図である。
【図４】本考案の実施形態に係るマッサージ具を示す、図２の要部拡大図である。
【図５】図４の状態から球体が奥側へ移動した、本考案の実施形態に係るマッサージ具の使用状態を示す要部拡大断面図である。
【図６】本考案の他の実施形態に係るマッサージ具を示す、図１のＡ−Ａ線断面図である。
【図７】従来例に係るマッサージ具を示す平面図である。
【考案を実施するための形態】
【００２４】
図１乃至図５を参照して、本考案の実施形態に係るマッサージ具１００を説明する。
このマッサージ具１００は、手に持って使用される棒状のものであって、球体１０と、収容部４０と、本体部５０を備える。
【００２５】
球体１０は、使用者の皮膚に押圧される鉄製ニッケルメッキコートの球である。この球体１０は、この材質に限られず、ニッケルでメッキされていないステンレス製でもよく、また磁性を有していてもよい。
【００２６】
収容部４０は、外形が略円柱状であって、一端４０ａ側（図１や図２における左側）に凹部４１が形成されている。
凹部４１の深さは球体１０の半径よりも深く、凹部４１の一端４０ａ（図２等における左端）以外の内径は球体１０の直径よりも若干大きく形成されているので、収容部４０において球体１０をその一部（半分未満）が露出した状態で回転自在に収容可能である。球体１０を凹部４１に収容したときに、凹部４１周方向のガタツキはほとんどない。
そして、凹部４１の一端４０ａの内径のみが球体１０の直径よりも小さく形成されている。したがって、収容後に球体１０が収容部４０から脱落してしまうことがない。
【００２７】
さらに、球体１０の曲率と略等しい曲率の窪み４２ａが凹部４１の奥壁４２の中央に形成されている。
また、収容部４０の他端４０ｂ側（図１や図２における右側）は縮径して凸状になっており、その凸状の小径部分が本体部５０に嵌められる。
また、収容部４０の他端４０ｂ側からも肉抜きされている。奥壁４２の補強として、図３に示すようにリブ４３が四つ形成されている。
収容部４０内において球体１０が最も一端４０ａ側に移動したときには、図４に示すように球体１０は収容部４０の奥壁４２から離間する。
また、収容部４０内において球体１０が最も他端４０ｂ側（奥壁４２側）に移動したとき、すなわちマッサージ具１００の使用時には、図５に示すように球体１０は奥壁４２の窪み４２ａ全面に当接する。
なお、球体１０は収容部４０に対して、いわゆる嵌め殺しとなっている。
【００２８】
本体部５０は、緩やかに細くなっている略円柱状であり、内部を一端５０ａ側から肉抜きした中空体である。この本体部５０は帯電防止ＡＢＳ樹脂からなり、空気中や床等の埃が本体部５０に付着し難くなっている。収容部４０もこれと同一樹脂で形成されていてもよい。
マッサージ具１００の使用時には使用者によってこの本体部５０が把持される。
本体部５０の一端５０ａ側には収容部４０の他端４０ｂ側が嵌め込まれて取付けられる。このとき、本体部５０と収容部４０の外形は面一となっている。
また、本体部５０は全周にわたって形成されたくびれ部５１を複数（三つ）有する。ここではそれらのくびれ部５１を、本体部５０の一端５０ａ側から順に第一くびれ部５１Ａ、第二くびれ部５１Ｂ、及び第三くびれ部５１Ｃと呼ぶ。
第一くびれ部５１Ａは本体部５０の一端５０ａ側近傍に、第三くびれ部５１Ｃは本体部５０の他端５０ｂ側近傍にそれぞれ位置している。
【００２９】
また、複数のくびれ部５１の直径は、本体部５０の一端５０ａ側から他端５０ｂ側になるにつれ徐々に小さく形成されてなる。つまり、第一くびれ部５１Ａの直径より第二くびれ部５１Ｂの直径が小さく、第二くびれ部５１Ｂの直径より第三くびれ部５１Ｃの直径が小さい。
また、第一くびれ部５１Ａと第二くびれ部５１Ｂの間の本体部５０の部位の直径は、第一くびれ部５１Ａよりも一端５０ａ側の本体部５０の部位の直径と等しい。
そして、第二くびれ部５１Ｂと第三くびれ部５１Ｃの間の本体部５０の部位の直径は、第一くびれ部５１Ａと第二くびれ部５１Ｂの間の本体部５０の部位の直径よりも小さい。
ここで、マッサージは球体１０を使って行われる場合が多いが、本体部５０の他端５０ｂも皮膚に対して押圧してマッサージ可能である。
【００３０】
以上のように構成されたマッサージ具１００によれば、本体部５０は、全周にわたって形成されたくびれ部５１を複数有し、複数のくびれ部５１の直径は、本体部５０の一端５０ａ側から他端５０ｂ側になるにつれ徐々に小さく形成されてなるので、使用者が本体部５０を握ったときに手によく馴染み、力を加え易い。よって、効率よくマッサージを行うことができる。
【００３１】
また、凹部４１の深さは球体１０の半径よりも深く、かつ凹部４１の一端４０ａ側内径は球体１０の直径よりも小さく形成されてなるので、球体１０が凹部４１内を奥側に移動可能である。そして、球体１０の曲率と略等しい曲率の窪み４２ａが凹部４１の奥壁４２の中央に形成されたので、奥側に移動した球体１０がその窪み４２ａに収まる。よって、球体１０の回転が安定するとともに、使用時に球体１０と収容部４０は周方向には点接触となり接する面積が小さいので、球体１０が回転し易い。
【００３２】
また、本体部５０の一端５０ａ側から順に第一くびれ部５１Ａ、第二くびれ部５１Ｂ、及び第三くびれ部５１Ｃの三つが形成され、第一くびれ部５１Ａと第二くびれ部５１Ｂの間の本体部５０の部位の直径は、第一くびれ部５１Ａよりも一端５０ａ側の本体部５０の部位の直径と等しく、第二くびれ部５１Ｂと第三くびれ部５１Ｃの間の本体部５０の部位の直径は、第一くびれ部５１Ａと第二くびれ部５１Ｂの間の本体部５０の部位の直径よりも小さいので、使用者が小指を本体部５０の一端５０ａ側、人差し指を本体部５０の他端５０ｂ側に向けて本体部５０を握ったときに、さらに手によく馴染み、力を加え易い。つまり、第一くびれ部５１Ａに使用者の小指、第二くびれ部５１Ｂには薬指、そして第三くびれ部５１Ｃには人差し指がフィットするので、加えた力が逃げず、効率よくマッサージ可能である。
【００３３】
さらに、本体部５０の一端５０ａ側近傍に第一くびれ部５１Ａが形成されたので、球体１０を使用者の皮膚に押圧する際に、より力を加え易い。すなわち、球体１０の近傍にくびれ部５１を有するので、そのくびれ部５１が滑り止めとなり、加えた力が逃げることなく球体１０を介して使用者の皮膚に伝わる。
また、本体部５０の他端５０ｂ側近傍に第三くびれ部５１Ｃの少なくとも一つが形成されたので、本体部５０の他端５０ｂ側で使用者の皮膚を押圧する際にも力を加え易い。
【００３４】
また、本体部５０は内部を肉抜きした中空体であるので、本体部５０が軽量であり、長時間マッサージ具１００を使用しても手が疲れ難い。
【００３５】
なお、本実施形態において、球体１０の曲率と略等しい曲率の窪み４２ａが凹部４１の奥壁４２の中央に形成されたが、これに限られるものではなく、図６に示すように奥壁４２は平面状であってもよい。
また、収容部４０の他端４０ｂ側から中央の肉抜きされた部位にリブ４３が形成されていなくてもよい。
【００３６】
また、本体部５０の一端５０ａ側近傍にくびれ部５１が形成されたが、これに限られるものではない。
同様に、本体部５０の他端５０ｂ側近傍にくびれ部５１が形成されたが、これに限られるものではない。
【００３７】
また、くびれ部５１が三つ形成されたが、二つ以上であればこれに限られるものではない。
さらに、くびれ部５１の直径や本体部５０の直径を限定したが、これに限られるものではなく、複数のくびれ部５１の直径が、本体部５０の一端５０ａ側から他端５０ｂ側になるにつれ徐々に小さく形成されていればよい。
【００３８】
また、本体部５０は内部を肉抜きした中空体であるとしたが、これに限られるものではなく、中実体であってもよい。
【符号の説明】
【００３９】
１０      球体
２０      収容部
２１      照明部
３０      本体部
４０      収容部
４０ａ    一端
４０ｂ    他端
４１      凹部
４２      奥壁
４２ａ    窪み
４３      リブ
５０      本体部
５０ａ    一端
５０ｂ    他端
５１      くびれ部
５１Ａ    第一くびれ部
５１Ｂ    第二くびれ部
５１Ｃ    第三くびれ部
１００      マッサージ具
２００      マッサージ具
【図１】
0003185377.tif 000003
【図２】
0003185377.tif 000004
【図３】
0003185377.tif 000005
【図４】
0003185377.tif 000006
【図５】
0003185377.tif 000007
【図６】
0003185377.tif 000008
【図７】
0003185377.tif 000009